(57)【特許請求の範囲】
【請求項１】
次の構成を有する、給排水管継手用の多重路弁。
１．１  少なくとも３つの個別弁を設け、それらが、それぞれ、
１．１．１  弁座（１２）と、
１．１．２  それに対して移動可能な蓋体（１３）を有し、
１．２  傾動部材（１７）が、
１．２．１  作動のために外周で個別弁の蓋体（１３）に連結されており、
１．２．２  傾動点を形成するように中央領域で点式に支持されており、
１．３  少なくとも１つの作動部材が、
１．３．１  傾動部材（１７）を傾動させるために、したがって、個別弁を作動させるために設けられている。
【請求項２】
１つの個別弁だけが開放するように作動可能である請求項１に記載の多重路弁。
【請求項３】
作動部材は、作動時に１つの個別弁を開放し、別の個別弁を閉鎖するように構成されている請求項１または２に記載の多重路弁。
【請求項４】
各個別弁用に１つの作動部材を備えた請求項１〜３のいずれか１項に記載の多重路弁。
【請求項５】
特定の個別弁に対応した作動部材は、該個別弁を開放し、先に開放していた個別弁を閉鎖し、先に閉鎖されていた個別弁を閉鎖したままにするように構成されている請求項１〜４のいずれか１項に記載の多重路弁。
【請求項６】
傾動部材（１７）は、正多角形で、特に３つの個別弁の場合、等辺三角形の形をしている請求項１〜５のいずれか１項に記載の多重路弁。
【請求項７】
個別弁の蓋体（１３）は、傾動部材（１７）に連結されている請求項１〜６のいずれか１項に記載の多重路弁。
【請求項８】
個別弁の蓋体（１３）は、傾動部材（１７）の側部の中央付近に連結されている請求項１〜７のいずれか１項に記載の多重路弁。
【請求項９】
作動部材は、傾動部材（１７）の側部の中央付近に作用する請求項１〜７のいずれか１項に記載の多重路弁。
【請求項１０】
作動部材は、傾動部材（１７）の角部付近に作用する請求項１〜７のいずれか１項に記載の多重路弁。
【請求項１１】
作動部材は、押しボタン（８）である請求項１〜１０のいずれか１項に記載の多重路弁。
【請求項１２】
手動シャワー内に設置されて、作動部材は、ユーザが手動シャワーを持っている手で操作することができるように配置されている請求項１〜１１のいずれか１項に記載の多重路弁。
【発明の詳細な説明】
【０００１】
本発明は、給排水管継手（サニタリー取付具）用の多重路弁に関する。
【０００２】
給排水管継手では、混合弁から出る水を異なった出口へ切り換えなければならないという問題がしばしば生じる。そのような多重路弁は管継手にはめ込まれるか、別体の管継手として設置されることが多い。それらは、ヘッドシャワー、側面シャワーまたは手動シャワーの切り換えなどに使用される。
【０００３】
従来の多重路弁は、多くの場合に大きい空間を占める。
【０００４】
本発明の課題は、限定量の空間を必要とし、簡単に操作することができる給排水管継手用多重路弁を提供することである。
【０００５】
この課題を解決するために、本発明は、請求項１の特徴を有する多重路弁を提案している。本発明のさらなる発展が、従属請求項の主題を形成しており、それらの請求項の表現は、要約書の表現と同様に、本発明の明細書の内容の一部をなす。
【０００６】
本発明によって提案された多重路弁は、相互の切り換えを行うことができる少なくとも３つの個別弁を備えている。各個別弁は、弁座と蓋体とを有する。すべての蓋体は、傾動または傾斜部材に連結されており、この部材は各傾斜位置で異なった弁状態を生じる。したがって、１点で支持された傾動部材を傾斜させることによって、個別弁の開放または閉鎖を行うことができる。弁座のすべてが、ディスクまたはプレート状部材の開口として配置されている、すなわち、密閉並置状態に収納することができる。
【０００７】
本発明のさらなる発展によれば、多重路弁は、切り換えの瞬間を除いて、常に１つの個別弁だけを開放し、その他の弁を閉鎖するように作動可能である。
【０００８】
本発明のさらなる発展によれば、作動部材は、作動時に、１つの個別弁を開放し、同時に別の個別弁を閉鎖するように構成されている。
【０００９】
本発明によれば、多重弁が単一の作動部材を有していれば十分であり、これをさまざまに作動させることによって、特定の個別弁を開閉することができる。
【００１０】
しかし、本発明のさらなる発展によれば、制御すべき個別弁の数に対応した数の作動部材を多重路弁に設けることが可能である。各作動部材を１つの個別弁に正確に対応させて、作動部材の作動によって対応の個別弁を開放させるようにすることができる。
【００１１】
特定の個別弁に対応した作動部材は、その個別弁を開放し、先に開放していた個別弁を閉鎖し、先に閉鎖されていた残りの個別弁を閉鎖したままにするように構成することができる。
【００１２】
本発明のさらなる発展によれば、傾動部材は、正多角形のような、特に３つの個別弁がある場合、等辺三角形の形のプレートまたはディスクの形をしている。
【００１３】
本発明によれば、個別弁の蓋体すなわち閉鎖部材が、傾動部材の角部付近に連結されている。これによって、個別弁の開閉に必要なストロークを効率的に得ることができる。
【００１４】
さらなる発展によれば、個別弁の蓋体はまた、傾動部材の側部の中央付近に連結されている、これによって、個別弁の全部に対して均一なストロークを得ることもできる。
【００１５】
本発明によれば、幾つかの作動部材が、傾動部材の側部の中央付近に作用することができる。
【００１６】
しかし、作動部材は、傾動部材の角部付近に作用することも可能であり、本発明によって提案される。
【００１７】
本発明によれば、作動部材は、特に容易かつ明確に操作することができる押しボタンである。特定の個別弁を開放するために、ユーザは対応の押しボタンを押すだけでよい。
【００１８】
本発明によって提案された多重路弁の特に重要な適用例は、それを手動シャワー内に設置して、ユーザがシャワーハンドルを持っている手で操作することができるように作動部材を配置することである。これは、たとえば、シャワーヘッド付近か、シャワーハンドル上でも親指を用いて行うことができる。切り換え弁によって、異なったシャワーヘッドジェット形式に切り換えることができ、これまではこれを行うために、他方の手を使用してシャワーヘッドに作用する必要があった。
【００１９】
好適な実施形態の以下の説明および添付図面から、本発明のさらなる特徴、詳細および利点を推論することができる。
【００２０】
図１は、本発明に従った多重路弁を有するシャワーヘッドの長手方向断面図である。シャワーヘッドは、３種類のジェット出口オリフィス２、３、４を備えたジェットディスク１を有する。個別種類のジェット出口オリフィス２、３、４に個別の水ダクトが通じており、そのうちの１つの水ダクト５だけが図１に断面図で示されている。図示の水ダクト５は、ジェット出口オリフィス２からマッサージジェットを放出することができる装置に通じており、このため、シャワーヘッドはタービンを備えている。
【００２１】
ジェットディスクの中心を取り囲む領域内に、比較的強い水ジェット用のジェット出口オリフィス３が設けられており、さらに外側の領域では、気泡水ジェットを出口オリフィス４から放出することができる。
【００２２】
シャワーヘッドのすぐ上流側で、部分的に示されているだけであるハンドル６の端部に、ハンドルを通って異なったジェットダクトへ流れる水を切り換えるための切り換え装置が設けられている。切り換え装置は、個別の押しボタン７、８によって操作され、これらの押しボタンは弾性ダイアフラム９によって被覆され、したがって、外部から密封されている。隆起部１０のために見つけることが容易な押しボタンを押すことによって、多重路弁を表す切り換え装置を操作することができる。図示の実施形態では、多重路弁は、１回に１つの個別弁が開放することができ、それが流入水を通して３つの水ダクトの１つへ送り込むように構成されている。
【００２３】
この多重路弁の詳細が、図２および図３に示されている。多重路弁は、わずかに傾斜した縁部を有する３つの開口１２を設けたプレート１１を備えている。各開口１２は水ダクト５に通じており、これからシャワーヘッドに流れ込む。各開口１２が弁座を形成している。開口１２と協働するように、閉鎖部材すなわち蓋体１３が設けられ、これは、弁座１２に載ることができる外周Ｏリング１４を有する。弁座１２の上流側において、蓋体１３は、拡大ヘッド１６を設けたラグ１５を有する。このラグ１５で蓋体１３は傾斜または傾動部材１７に固定されており、この部材はほぼ中心でスタッド１８によって点支持されている。図２に示された位置において、断面の平面上にある弁座１２は閉鎖部材１３によって閉鎖されている一方、図面の平面の後方に位置する弁座は開放している。このことは、左側の蓋体１３から明らかであり、したがって、これは対応の開口から抜き取られている。断面の平面上に位置して、弁座１２および蓋体１３によって形成された個別弁を開放するには、ユーザが断面の平面上に位置する隆起部１０を押す。その結果、対応の押しボタン８が左へ移動して、点支持部と第２閉鎖個別弁とを結んだ線を中心にして傾動部材１７を傾斜させる。図示の位置では、左側の蓋体１３を下方へ移動させることによって、対応の個別弁を閉鎖することができる。同時に、断面の平面上に位置する個別弁が開放する。このことは、押しボタン８によって表される作動部材を使用して、断面の平面上に位置する個別弁を開放することができることを表すことができる。各個別弁に１つの個別の押しボタンが設けられている。
【００２４】
本発明による多重路弁の基礎となる原理が、図３に最もわかりやすく示されている。図示の実施形態では、３つの流入弁が同一平面上に位置しており、すべての蓋体１３とすべての弁座１２が同一構造を有する。傾動部材１７は、等辺三角形のような形状であり、その角部に蓋体１３が固定されている。図３において、傾動部材１７の上部から蓋体１３が省かれている。角部からスロット２０が三角形内へ切り込まれ、そこで広がって丸形開口１９を形成している。蓋体１３は、ラグ１５が角部からスロット２０に押し通されて、開口１９内に懸架されている。スロット２０は、ラグ１５の直径より幾分狭くなっている。このように、傾動部材１７の３つの角部すべてにそれぞれ１つの蓋体１３が保持されている。傾動部材１７の傾斜時に存在する角度を補償するために、蓋体は一定の隙間を有する。しかし、それらは傾動部材１７に押し引き方向に、すなわち、図面の平面に垂直方向に連結されている。
【００２５】
傾動部材１７の側部のほぼ中央に拡大部分２１が形成されており、これは、押しボタン８用の係合点を形成している。したがって、押しボタン８が傾動部材１７に、その平面にほぼ垂直に作用する。しかし、それらは傾動部材１７に連結されていない。
【００２６】
傾動部材１７は、その中心付近でスタッド１８によって支持されている。この支持はほぼ点状である。
【００２７】
以下の説明では、蓋体１３ａおよび１３ｃが弁座１２にはまって、対応の個別弁が閉鎖されている開始状態にあるものとする。この場合、図３の上部の個別弁が開放しており、これは、スタッド１８の形状すなわち高さによる。ここでユーザが拡大部分２１ａに対応した押しボタンを押すと、傾動部材１７が支持点１８と蓋体１３ｃとを結ぶ軸まわりに傾斜する。すなわち、図３の上部の先に開放していた個別弁が閉鎖され、蓋体１３ａで表された図３の左側の個別弁が開放する。したがって、等辺三角形の１辺の中央に作用する押しボタンは、三角形の対向する頂点に位置する個別弁に対応付けられている。
【図面の簡単な説明】
【図１】  幾つかの分離したジェットガイドを備えたシャワーヘッドの断面図である。
【図２】  シャワーヘッドにはめ込まれた本発明による多重路弁の拡大断面図である。
【図３】  本発明によって提案された多重路弁の構成部材の概略的平面図である。
【符号の説明】
１  ジェットディスク
２、３、４  ジェット出口オリフィス
５  水ダクト
６  ハンドル
７、８  個別の押しボタン
９  弾性ダイアフラム
１０  隆起部
１１  プレート
１２  開口、弁座
１３，１３ａ，１３ｃ  蓋体
１４  Ｏリング
１５  ラグ
１６  ヘッド
１７  傾動部材
１８  スタッド
１９  丸形開口
２０  スロット
２１、２１ａ  拡大部分
【図１】
0004853989.tif 000002
【図２】
0004853989.tif 000003
【図３】
0004853989.tif 000004